(57)【要約】【課題】  撮影対象の工事の撮影時に必要な撮影データ３０を簡単に作成して工事写真データ５７を能率的に作成する。【解決手段】  携帯端末２４において、撮影対象の各工事の撮影図面１１および撮影対象の各工事の工事名称、工事設計値を含む工事写真チェックリスト４３を記憶する。記憶された各工事の撮影図面１１および工事写真チェックリスト４３の各工事の中から操作選択された工事の撮影図面１１、工事名称、工事設計値１２、操作入力された該当工事の実測値１３を含む撮影データ３０を作成する。そして、撮影データ３０が表示された状態におけるカメラ撮影操作に応じて、工事１４の写真データ５６を得る。撮影した工事の写真番号と実測値とを工事写真チェックリスト４３に書込む。最後に、各工事の写真データ５６および更新後の工事写真チェックリスト４３を外部の工事写真編集装置へ送信する。【選択図】      図１
2006146682.tif 000002
【特許請求の範囲】
【請求項１】
工事現場における各工事を撮影するためのカメラ機能を有する携帯端末であって、
撮影対象の各工事の撮影図面を記憶する撮影図面記憶手段と、
撮影対象の各工事の工事名称、工事設計値を含む工事写真チェックリストを記憶する工事写真チェックリスト記憶手段と、
記憶された各工事の撮影図面および工事写真チェックリストの各工事の中から操作選択された工事の撮影図面、工事名称、工事設計値、および操作入力された該当工事の実測値を含む撮影データを作成して前記カメラ機能のファインダーに表示する撮影データ作成手段と、
前記撮影データが表示された状態におけるカメラ撮影操作に応じて、前記撮影データで指定された工事の写真データを得る工事撮影手段と、
撮影した工事の写真番号と実測値とを前記工事写真チェックリストに書込む工事写真チェックリスト更新手段と、
撮影された各工事の写真データおよび更新後の工事写真チェックリストを外部の工事写真編集装置へ送信する送信手段と
を備えたことを特徴とする携帯端末。
【請求項２】
工事現場における各工事を撮影するためのカメラ機能を有する携帯端末と、この携帯端末で撮影する各工事を指定するとともに、前記携帯端末で撮影された各工事の写真データを編集して各写真データ毎に撮影データが付された工事写真データを得る現場装置とを備えた工事写真管理システムであって、
前記現場装置は、
操作指示に基づいて撮影対象の各工事の工事名称、工事設計値を含む工事写真チェックリストを作成する工事写真チェックリスト作成手段と、
操作指示に基づいて設計図面から撮影対象の各工事の撮影図面を作成する撮影図面作成手段と、
前記作成された工事写真チェックリストおよび各工事の撮影図面を前記携帯端末へ送信する送信手段と、
前記各工事の撮影図面と前記携帯端末から受信した更新後の工事写真チェックリストに基づいて各工事の撮影図面、工事名称、工事設計値および実測値を含む撮影データを作成して、この各撮影データを受信した各工事の写真データの一部に上書きして各工事の工事写真データを得る工事写真データ編集手段とを有し、
前記携帯端末は、
前記現場装置から受信した各工事の撮影図面および工事写真チェックリストの各工事の中から操作選択された工事の撮影図面、工事名称、工事設計値、および操作入力された該当工事の実測値を含む撮影データを作成して前記カメラ機能のファインダーに表示する撮影データ作成手段と、
前記撮影データが表示された状態におけるカメラ撮影操作に応じて、前記撮影データで指定された工事の写真データを得る工事撮影手段と、
撮影した工事の写真番号と前記実測値とを前記工事写真チェックリストに書込む工事写真チェックリスト更新手段と、
撮影された各工事の写真データおよび更新後の工事写真チェックリストを前記現場装置へ送信する送信手段とを有した
ことを特徴とする工事写真管理システム。
【請求項３】
工事現場における各工事をカメラ機能を用いて撮影する工事写真撮影制御方法において、
撮影対象の各工事の撮影図面を記憶する手順と、
撮影対象の各工事の工事名称、工事設計値を含む工事写真チェックリストを記憶する手順と、
記憶された各工事の撮影図面および工事写真チェックリストの各工事の中から操作選択された工事の撮影図面、工事名称、工事設計値、および操作入力された該当工事の実測値を含む撮影データを作成してカメラ機能のファインダーに表示する手順と、
前記撮影データが表示された状態におけるカメラ撮影操作に応じて、前記撮影データで指定された工事の写真を撮影して当該写真データを得る手順と、
撮影した工事の写真番号と実測値とを前記工事写真チェックリストに書込み更新する手順と、
撮影された各工事の写真データおよび更新後の工事写真チェックリストを外部の工事写真編集装置へ送信する手順と
を備えたことを特徴とする工事写真撮影制御方法。
【請求項４】
工事現場における各工事を撮影して各工事の写真データを得て、この得られた各工事の写真データ毎に該当工事の情報を示す撮影データが付された工事写真データを得る工事写真管理方法において、
現場装置において、操作指示に基づいて撮影対象の各工事の工事名称、工事設計値を含む工事写真チェックリストを作成し、操作指示に基づいて設計図面から撮影対象の各工事の撮影図面を作成し、この作成された工事写真チェックリストおよび各工事の撮影図面をカメラ機能を有する携帯端末へ送信する手順と、
前記携帯端末において、前記現場装置から受信した各工事の撮影図面および工事写真チェックリストの各工事の中から操作選択された工事の撮影図面、工事名称、工事設計値、および操作入力された該当工事の実測値を含む撮影データを作成して前記カメラ機能のファインダーに表示する手順と、
前記携帯端末において、前記撮影データが表示された状態におけるカメラ撮影操作に応じて、前記撮影データで指定された工事の写真データを得て、撮影した工事の写真番号と前記実測値とを前記工事写真チェックリストに書込み、撮影された各工事の写真データおよび更新後の工事写真チェックリストを前記現場装置へ送信する手順と、
前記現場装置において、前記各工事の撮影図面と前記携帯端末から受信した更新後の工事写真チェックリストに基づいて各工事の撮影図面、工事名称、工事設計値および実測値を含む撮影データを作成して、この各撮影データを受信した各工事の写真データの一部に上書きして各工事の工事写真データを得る手順と
を備えたことを特徴とする工事写真管理方法。
【請求項５】
工事現場における各工事を撮影するためのカメラ機能を有する携帯端末に組込まれ、コンピュータに、
記憶された撮影対象の各工事の撮影図面、および記憶された撮影対象の各工事の工事名称、工事設計値を含む工事写真チェックリストの中から操作選択された工事の撮影図面、工事名称、工事設計値、および操作入力された該当工事の実測値を含む撮影データを作成してカメラ機能のファインダーに表示する撮影データ作成機能と、
この撮影データが表示された状態におけるカメラ撮影操作に応じて、前記撮影データで指定された工事の写真データを得る工事撮影機能と、
撮影した工事の写真番号と実測値とを前記工事写真チェックリストに書込む工事写真チェックリスト更新機能と、
撮影された各工事の写真データおよび更新後の工事写真チェックリストを外部の工事写真編集装置へ送信する送信機能と
を実現させるための工事写真撮影制御プログラム。
【発明の詳細な説明】
【技術分野】
【０００１】
本発明は、建設業や建築業の各工事現場における各工事を撮影して各工事の工事写真データを得る工事写真管理システム、この工事写真管理システムに組込まれた携帯端末、工事写真撮影制御方法、工事写真管理方法、および工事写真撮影制御プログラムに関する。
【背景技術】
【０００２】
建設業や建築業においては、民間企業や官公庁等の施主から一連の工事を受注すると、この一連の工事における各工事を工事計画に従って実施するが、各工事の進捗状況や完成した工事の工事結果を施主に報告する必要がある。この場合、報告対象の工事を撮影して、撮影された写真に撮影データを添付するようにしていた。より具体的には、先ず、報告対象の工事の工事名、工種、図面、設計値、実測値等からなる撮影データを持ち運び可能な黒板に記載する。次に、カメラで報告対象の工事と撮影データが記載された黒板とを同一画面に入るように撮影する。したがって、撮影された各工事写真には工事と撮影データとが含まれる。よって、撮影された各工事写真をそのまま施主に報告書として提出可能となる。
【０００３】
図１３はこの工事と撮影データとが含まれる工事写真を作成する手順を示す模式図である。
【０００４】
建設会社の本社・支店１において、官公庁を含む施主２の撮影基準を基に、担当者３は、受注した一連の工事に対する標準工事の写真撮影リスト４を作成する。この標準工事の写真撮影リスト４は該当工事の現場事務所５へ送信される。現場事務所５の担当者は、受領した標準工事の写真撮影リスト４を基に、現場の状況、特記仕様書、監督員との協議により、紙ベースの工事写真チェックリスト６を作成する。また、現場事務所５の担当者は、設計図面から撮影対象の各工事の紙ベースの撮影図面７を作成する。そして、現場事務所５の担当者は、作成した工事写真チェックリスト６および各工事の撮影図面７を現場８に赴く担当者に持たせる。
【０００５】
現場８に到達した担当者は、工事写真チェックリスト６および各工事の撮影図面７を基に、黒板９へ工事名称１０、工事コード、工事会社名、工種名、撮影図面１１、設計値１２等を手で転記する。さらに設計値１２に対する実測値１３を測定して黒板９に書込む。このような撮影データが書込まれ黒板９を撮影対象の工事１４側に設置し、撮影対象の工事１４をカメラ１５で撮影する。
【０００６】
撮影終了後、現場８の担当者は現場事務所５へ戻り、現像して、各工事毎の工事写真１６を得る。そして、先の工事写真チェックリスト６および各工事の撮影図面７と、現像した各工事毎の工事写真１６と突合せ、工事写真１６の整理・編集を行う。撮影漏れ、不備等を確認し、問題あれば、再度、現場８に赴き、工事写真を再度撮影する。
【０００７】
整理・編集した工事写真１６の報告書１７を本社・支店１に郵送する。本社・支店１の担当者は、この報告書１７を保管用報告書１７ａとして保管する。また、この報告書１７を提出用報告書１７ｂとし施主２へ提出する。
【０００８】
なお、特許文献１には、工事現場で撮影された複数画像コマの写真データをデータベースサーバに登録し、コンピュータ画面に表示して、行われた工事に対する品質検査を行なう技術が開示されている。
【特許文献１】特開２００３―３１７０７９号公報
【発明の開示】
【発明が解決しようとする課題】
【０００９】
しかしながら、図１３に示した手法で各工事に対する工事写真を得る手法においてもまだ解消すべき次のような課題があった。
【００１０】
すなわち、現場事務所５の担当者は、受領した標準工事の写真撮影リスト４を基に、協議により、工事写真チェックリスト６を用紙上に作成しているが、この用紙上に作成された工事写真チェックリスト６の各データ、および各工事の撮影図面７を黒板９に手書きで転記するため、転記ミス、転記漏れ、不明瞭な文字による認識ミス等が発生する。
【００１１】
黒板９に記載された撮影データにおける記載漏れ、記載不備は、現場事務所５における工事写真チェックリスト６および各工事の撮影図面７と現像した各工事毎の工事写真１６と突合実施時になって発覚するため、前述した後戻り作業が発生する。
【００１２】
また、工事写真チェックリスト６および各工事の撮影図面７と、現像した各工事毎の工事写真１６と突合せ、工事写真１６の整理・編集を人手にて行うため、整理・編集作業に多大の時間を必要とした。また、チェックミス等の発生する可能性がある。
【００１３】
さらに、施主２へ提出する工事写真１６の報告書１７ｂは紙ベースとなり、施主２における報告書１７ｂの管理が煩雑化する。
【００１４】
本発明はこのような事情に鑑みてなされたものであり、工事写真チェックリストおよび撮影図面を電子化して組込むことにより、撮影対象の工事の撮影時における撮影データを簡単にかつ間違いなく作成でき、現場での黒板への転記作業の廃止、転記ミス防止、撮影漏れを未然に防止するとともに、撮影漏れ、撮影不備が早期に発見でき、さらに、後戻り作業の発生確率が低減できる携帯端末、工事写真撮影制御方法、工事写真撮影制御プログラムを提供することを目的とする。
【００１５】
さらに、上述した各目的に加えて、撮影終了後の写真データの合成・編集作業が簡便に行え、情報の関連付けミス、作業漏れを未然に防止し、かつ最終的に得られる各工事写真データを電子データ化でき、施主へ提出する各工事写真データの報告書を電子データ化でき、施主に対するサービスを向上できる工事写真管理システムおよび工事写真管理方法を提供することを目的とする。
【課題を解決するための手段】
【００１６】
請求項１の発明は、工事現場における各工事を撮影するためのカメラ機能を有する携帯端末である。そして、上述課題を解決するために、本発明の携帯端末は、撮影対象の各工事の撮影図面を記憶する撮影図面記憶手段と、撮影対象の各工事の工事名称、工事設計値を含む工事写真チェックリストを記憶する工事写真チェックリスト記憶手段と、記憶された各工事の撮影図面および工事写真チェックリストの各工事の中から操作選択された工事の撮影図面、工事名称、工事設計値、および操作入力された該当工事の実測値を含む撮影データを作成してカメラ機能のファインダーに表示する撮影データ作成手段と、この撮影データが表示された状態におけるカメラ撮影操作に応じて、撮影データで指定された工事の写真データを得る工事撮影手段と、撮影した工事の写真番号と実測値とを工事写真チェックリストに書込む工事写真チェックリスト更新手段と、撮影された各工事の写真データおよび更新後の工事写真チェックリストを外部の工事写真編集装置へ送信する送信手段とを備えている。
【００１７】
このように構成された携帯端末においては、撮影対象の各工事の撮影図面と、撮影対象の各工事の工事名称、工事設計値を含む工事写真チェックリストとはこの携帯端末に記憶保持されている。したがって、操作者がこのカメラ機能を有する携帯端末を用いて撮影対象の工事を撮影する時に参照すべき撮影データを簡単にかつ間違いなく作成できる。
【００１８】
また、撮影対象の工事の実測値は撮影データおよび工事写真チェックリストに書込まれる。さらに、撮影した工事の写真番号は工事写真チェックリストに書込まれる。更新後の工事写真チェックリストと撮影した工事の写真データとは、例えば現場装置等の工事写真編集装置へ送信される。工事写真編集装置は工事の写真データに対して工事写真チェックリストを用いて撮影データを合成して工事写真データに編集することが可能である。
【００１９】
請求項２の発明は、工事現場における各工事を撮影するためのカメラ機能を有する携帯端末と、この携帯端末で撮影する各工事を指定するとともに、携帯端末で撮影された各工事の写真データを編集して各写真データ毎に撮影データが付された工事写真データを得る現場装置とを備えた工事写真管理システムである。
【００２０】
そして、現場装置は、操作指示に基づいて撮影対象の各工事の工事名称、工事設計値を含む工事写真チェックリストを作成する工事写真チェックリスト作成手段と、操作指示に基づいて設計図面から撮影対象の各工事の撮影図面を作成する撮影図面作成手段と、作成された工事写真チェックリストおよび各工事の撮影図面を携帯端末へ送信する送信手段と、各工事の撮影図面と携帯端末から受信した更新後の工事写真チェックリストに基づいて各工事の撮影図面、工事名称、工事設計値および実測値を含む撮影データを作成して、この各撮影データを受信した各工事の写真データの一部に上書きして各工事の工事写真データを得る工事写真データ編集手段とを有している。
【００２１】
さらに、携帯端末は、現場装置から受信した各工事の撮影図面および工事写真チェックリストの各工事の中から操作選択された工事の撮影図面、工事名称、工事設計値、および操作入力された該当工事の実測値を含む撮影データを作成してカメラ機能のファインダーに表示する撮影データ作成手段と、この撮影データが表示された状態におけるカメラ撮影操作に応じて、撮影データで指定された工事の写真データを得る工事撮影手段と、撮影した工事の写真番号と実測値とを工事写真チェックリストに書込む工事写真チェックリスト更新手段と、撮影された各工事の写真データおよび更新後の工事写真チェックリストを現場装置へ送信する送信手段とを有している。
【００２２】
このように構成された工事写真管理システムにおいては、現場事務所の担当者は現場装置内に工事写真チェックリストを作成するとともに設計図面から撮影対象の各工事の撮影図面を作成する。作成された工事写真チェックリストおよび各工事の撮影図面は携帯端末へ送信（ダウンロード）される。
【００２３】
現場の担当者は携帯端末を操作して、これから撮影しようとする工事を選択し工事の実測値を入力すると、該当工事の撮影データが作成されてファインダーに表示される。この状態で、担当者は撮影データで指定された工事を撮影する。撮影された写真データおよび写真番号と実測値が追加された工事写真チェックリストが現場装置へ送信される。
【００２４】
現場装置においては、各工事の撮影図面と携帯端末から受信した更新後の工事写真チェックリストに基づいて撮影データが作成され、この撮影データが受信した各工事の写真データの一部に上書きされて各工事の工事写真データが得られる。
【００２５】
この場合、各写真データと工事写真チェックリストの各工事とは写真番号でリンクされているので、各写真データと撮影データとは必ず対応していることになる。
【００２６】
したがって、工事写真データの編集作業が自動実施され、操作者の操作負担を軽減できるとともに、編集作業ミスの発生を未然に防止できる。
【００２７】
請求項３の発明は、工事現場における各工事をカメラ機能を用いて撮影する工事写真撮影制御方法である。そして、この発明の工事写真撮影制御方法においては、撮影対象の各工事の撮影図面を記憶する手順と、撮影対象の各工事の工事名称、工事設計値を含む工事写真チェックリストを記憶する手順と、記憶された各工事の撮影図面および工事写真チェックリストの各工事の中から操作選択された工事の撮影図面、工事名称、工事設計値、および操作入力された該当工事の実測値を含む撮影データを作成してカメラ機能のファインダーに表示する手順と、撮影データが表示された状態におけるカメラ撮影操作に応じて、撮影データで指定された工事の写真を撮影してこの写真データを得る手順と、撮影した工事の写真番号と実測値とを工事写真チェックリストに書込み更新する手順と、撮影された各工事の写真データおよび更新後の工事写真チェックリストを外部の工事写真編集装置へ送信する手順とを備えている。
【００２８】
このように構成された工事写真撮影制御方法においては、先に説明した発明の携帯端末とほぼ同様の作用効果を奏することが可能である。
【００２９】
請求項４の発明は、工事現場における各工事を撮影して各工事の写真データを得て、この得られた各工事の写真データ毎に該当工事の情報を示す撮影データが付された工事写真データを得る工事写真管理方法である。
【００３０】
そして、現場装置において、操作指示に基づいて撮影対象の各工事の工事名称、工事設計値を含む工事写真チェックリストを作成し、操作指示に基づいて設計図面から撮影対象の各工事の撮影図面を作成し、この作成された工事写真チェックリストおよび各工事の撮影図面をカメラ機能を有する携帯端末へ送信する手順と、携帯端末において、現場装置から受信した各工事の撮影図面および工事写真チェックリストの各工事の中から操作選択された工事の撮影図面、工事名称、工事設計値、および操作入力された該当工事の実測値を含む撮影データを作成してカメラ機能のファインダーに表示する手順と、携帯端末において、撮影データが表示された状態におけるカメラ撮影操作に応じて、撮影データで指定された工事の写真データを得て、撮影した工事の写真番号と実測値とを工事写真チェックリストに書込み、撮影された各工事の写真データおよび更新後の工事写真チェックリストを現場装置へ送信する手順と、現場装置において、各工事の撮影図面と携帯端末から受信した更新後の工事写真チェックリストに基づいて各工事の撮影図面、工事名称、工事設計値および実測値を含む撮影データを作成して、この各撮影データを受信した各工事の写真データの一部に上書きして各工事の工事写真データを得る手順とを備えている。
【００３１】
このように構成された工事写真管理方法においては、先に説明した工事写真管理システムとほぼ同様の作用効果を奏することが可能である。
【００３２】
請求項５の発明は、工事現場における各工事を撮影するためのカメラ機能を有する携帯端末に組込まれ、コンピュータに、記憶された撮影対象の各工事の撮影図面、および記憶された撮影対象の各工事の工事名称、工事設計値を含む工事写真チェックリストの中から操作選択された工事の撮影図面、工事名称、工事設計値、および操作入力された該当工事の実測値を含む撮影データを作成してカメラ機能のファインダーに表示する撮影データ作成機能と、この撮影データが表示された状態におけるカメラ撮影操作に応じて、撮影データで指定された工事の写真データを得る工事撮影機能と、撮影した工事の写真番号と実測値とを工事写真チェックリストに書込む工事写真チェックリスト更新機能と、撮影された各工事の写真データおよび更新後の工事写真チェックリストを外部の工事写真編集装置へ送信する送信機能とを実現させるための工事写真撮影制御プログラムである。
【００３３】
このように構成された工事写真撮影制御プログラムにおいては、先に説明した発明の携帯端末とほぼ同様の作用効果を奏することが可能である。
【発明の効果】
【００３４】
本発明の携帯端末、工事写真撮影制御方法、工事写真撮影制御プログラムにおいては、工事写真チェックリストおよび各工事の撮影図面を電子化して組込んでいる。したがって、撮影対象の工事の撮影時に必要な撮影データを簡単にかつ間違いなく作成でき、現場での黒板への転記作業の廃止、転記ミス防止、撮影漏れを未然に防止するとともに、撮影漏れ、撮影不備が早期に発見できるため、後戻り作業の発生確率が低減できる。
【００３５】
本発明の工事写真管理システムおよび工事写真管理方法においては、現場装置はカメラ機能付の携帯端末から受信した工事写真チェックリストに基づいて撮影データを作成して、この各撮影データを携帯端末から受信した各工事の写真データの一部に上書きして各工事の工事写真データを得るようにしている。
【００３６】
したがって、上述した発明の各効果に加えて、撮影終了後の写真データの整理・編集作業が簡便に行え、情報の関連付けミス、作業漏れを未然に防止し、かつ最終的に得られる各工事写真データを電子データ化でき、施主へ提出する各工事写真データの報告書を電子データ化でき、施主に対するサービスを向上できる。
【発明を実施するための最良の形態】
【００３７】
以下、本発明の最良の実施の形態を図面を用いて説明する。
【００３８】
図１は、本発明の最良の実施の形態に係わる携帯端末、工事写真撮影制御方法、工事写真撮影制御プログラムおよび工事写真管理方法が組込まれかつ適用される工事写真管理システムの全体構成を示すブロック図である。図１３に示す従来の工事写真の作成手順と同一部分には同一符号を付して重複する部分の詳細説明は省略する。
【００３９】
この実施の形態の工事写真管理システムは、大きく分けて、本社・支店１に対する現場事務所内に設けられ、例えばパーソナルコンピュータ（ＰＣ）等からなる現場装置２０と、現場事務所から実際の工事現場に赴く担当者が保持するカメラ機能が組込まれた携帯端末２４とで構成されている。なお、携帯端末２４は現場装置２０に対して着脱自在に設けられている。携帯端末２４が現場装置２０に装着されている状態において、携帯端末２４と現場装置２０との間でデータの送受信が可能である。
【００４０】
建設会社の本社・支店１において、官公庁を含む施主２の撮影基準を基に、担当者３は、受注した一連の工事に対する標準工事の写真撮影リスト４を作成する。この標準工事の写真撮影リスト４は該当工事の現場事務所へ送信される。
【００４１】
現場事務所の担当者は、受領した標準工事の写真撮影リスト４を基に、ＰＣからなる現場装置２０の撮影図面作成部２１、工事写真チェックリスト作成部２２を起動して、図３に示す撮影図面１１、図５に示す工事写真チェックリスト４３を作成し、この工事写真チェックリスト４３を携帯端末２４へ送信する。携帯端末２４は、現場事務所から送信された工事写真チェックリスト４３をダウンロードする。また、現場装置２０の工事写真合成編集部２３は、図４に示すように、携帯端末２４から受信（アップロード）した写真データ５６に撮影データ３０を上書合成して工事写真データ５７を得て、さらに編集して、本社・支店１に送付する。
【００４２】
図２は、ＰＣからなる現場装置２０の詳細構成を示すブロック構成図である。ＨＤＤ等からなる補助記憶装置４０内には、各工事の設計図面を記憶する設計図面ファイル４１、撮影図面ファイル４２、工事写真チェックリスト４３、写真データファイル４４、工事写真データファイル４５が設けられている。
【００４３】
撮影図面作成部２１は、キーボードとマウス等のデータ入力するための操作部４６を介して操作者が標準工事の写真撮影リスト４で撮影対象と指定された各工事の工事名称又は工事コードを指定すると、設計図面ファイル４１に記憶された指定された各工事の設計図面から、図３に示す各工事の撮影図面１１を作成して撮影図面ファイル４２へ書込む。なお、工事の設計値１２も撮影図面１１に付された状態で撮影図面ファイル４２へ書込まれる。なお、操作者は、作成された撮影図面１１および設計値１２を表示器４７で確認できる。
【００４４】
工事写真チェックリスト作成部２２は、操作部４６を介して操作者が標準工事の写真撮影リスト４で撮影対象と指定された各工事の工事写真データ４７を得るための各種の条件（項目）を書込んだ図５に示す工事写真チェックリスト４３を作成して、補助記憶装置４０へ設定する。
【００４５】
工事写真チェックリスト４３内には、操作者にて入力された工事名称４３ａ、工事コード４３ｂ、工種４３ｃ、測点４３ｄ、撮影図面番号４３ｅ、設計値１２、実測値１３、確認者４３ｆ、撮影日時４３ｇ、写真番号としての撮影ファイル名４３ｈが書込まれる。なお、図５に示すように、実測値１３、確認者４３ｆ、撮影日時４３ｇ、撮影ファイル名４３ｈは、該当工事に対する実際の写真撮影が携帯端末２４で実施された時点で書込まれる。
【００４６】
撮影図面ファイル４２に記憶された各工事の撮影図面１１は、撮影図面送信部４８、送受信Ｉ／Ｆ５３を介して装着状態の携帯端末２４へダウンロードされる。また、工事写真チェックリスト４３も工事写真チェックリスト送受信部４９、送受信Ｉ／Ｆ５３を介して装着状態の携帯端末２４へダウンロードされる。
【００４７】
図１に示す携帯端末２４は、現場装置２０から受信した各工事の撮影図面１１および工事写真チェックリスト４３をそれぞれ、撮影図面ファイル２５および工事写真チェックリストメモリ２６へ一時格納する。この格納処理が終了すると、工事現場の担当者はこの携帯端末２４を現場装置２０から外して、撮影対象の工事の現場に赴く。
【００４８】
工事現場の担当者は携帯端末２４の操作部２８を操作して、図８に示す撮影データ入力画面２９をカメラ機能におけるファインダーとなる表示器３１に表示させる。そして、選択ボタン２９ａで、工事写真チェックリスト４３内の１つの撮影対象の工事を指定すると、この撮影データ入力画面２９に、工事写真チェックリストメモリ２６に格納された工事写真チェックリスト４３から読出された該当工事の工事名称４３ａ、工種４３ｃ、測点４３ｄ、設計値１２、および撮影図面ファイル２５から読出された該当工事の撮影図面１１が表示される。
【００４９】
そして、工事現場の担当者は、この撮影データ入力画面２９を用いて、設計値１２に対する実際の測定値１３を入力する。さらに、操作部２８から確認者名（担当者名）４３ｆを入力する。このように撮影データ入力画面２９の各項目が入力された状態を撮影対象の工事の撮影データ３０とする。撮影データ入力画面２９の撮影ボタン２９ｂを押して、携帯端末２４のカメラ機能としての撮影部３３を起動して、撮影データ３０をファインダーとなる表示器３１の表示位置を右上に縮小して移動させる。
【００５０】
次に、工事現場の担当者は、図１０に示すように、ファインダーとなる表示器３１で撮影対象の工事１４を確認して、撮影対象の工事１４を撮影する。撮影部３３は図１１に示す撮影した撮影対象の工事１４を含む写真データ５６を、図１１に示すように、写真データファイル３４へ書込む。
【００５１】
チェックリスト更新部３２は、工事写真チェックリストメモリ２６に一時記憶された工事写真チェックリスト４３に、撮影データ３０の実際の測定値１３、確認者４３ｆを書込むとともに、撮影日時４３ｇ、撮影ファイル名４３ｈを書込む。
【００５２】
工事写真チェックリストメモリ２６に記憶された更新済みの工事写真チェックリスト４３および写真データファイル３４に記憶された各工事の写真データ５６は、この携帯端末２４が現場装置２０に装着された状態において、現場装置２０に送信（アップロード）される。
【００５３】
なお、この携帯端末２４を構成する、実測データ入力部２７、撮影データ入力画面２９、撮影データ３０、チェックリスト更新部３２、撮影部３３は、それぞれアプリケーションプログラム（モジュール）で構成されている。
【００５４】
図２に示す現場装置２０は、送受信Ｉ／Ｆ５３を介して携帯端末２４から更新済みの工事写真チェックリスト４３および各工事の写真データ４６を受信すると、写真データ受信部５０が受信した各工事の写真データ５６を写真データファイル４４へ格納する。また、工事写真チェックリスト送受信部４９を介して更新済みの工事写真チェックリスト４３を受領した工事写真チェックリスト更新部５１は、補助記憶装置４０に記憶保持されている工事写真チェックリスト４３を更新済みの工事写真チェックリスト４３で上書きする。
【００５５】
工事写真合成編集部２３は、工事写真チェックリスト４３の各工事の実測値４３ｇを含む各情報４３ａ〜４３ｈ、および撮影図面メモリ４２の各工事の撮影図面１１を用いて、各工事毎の撮影データ３０を作成する。
【００５６】
そして、工事写真合成編集部２３は、図４に示すように、携帯端末２４から受信（アップロード）して写真データファイル４４に格納されている各工事の写真データ５６の一部に対応する工事の撮影データ３０を上書き合成して工事毎の工事写真データ５７を得て、工事写真データファイル４５へ書込む。なお、工事写真合成編集部２３は、各工事の撮影データ３０と各工事の写真データ５６との対応は撮影ファイル名４３ｈで行う。図７は、表示器４７に表示された工事毎の工事写真データ５７の編集画面５８を示す図である。担当者は、この編集画面５８で各工事の工事写真データ５７を順番に確認する。
【００５７】
工事写真データ送信部５２は、工事写真データファイル４５に書込まれた各工事の工事写真データ５７を例えば光ディスク等の電子記憶媒体に書き込んで本社・支店１へ送信する。
【００５８】
本社・支店１の担当者は、光ディスク等の電子記憶媒体に書込まれた工事写真データ５７を保管用報告書５９ａとして保管する。また、この工事写真データ５７を提出用報告書５９ｂとし施主２へ提出する。
【００５９】
図６は、現場事務所の担当者が行う現場装置２０に対する操作、および現場装置２０が行う処理動作を示す流れ図である。
【００６０】
担当者は本社・支店１から標準工事の写真撮影リスト４を書面で入手する（ステップＳ１）。担当者は写真撮影リスト４から撮影対象の各工事を得て、現場装置２０へ入力する。現場装置２０は各工事の撮影図面１１を編集（作成）する（ステップＳ２）。さらに、現場装置２０は撮影対象の各工事の情報を書込んだ工事写真チェックリスト４３を作成する（ステップＳ３）。そして、作成した撮影図面１１、工事写真チェックリスト４３を携帯端末２４に送信（ダウンロード）する（ステップＳ４）。
【００６１】
そして、携帯端末２４から撮影対象の各工事の写真データ５６および更新済みの工事写真チェックリスト４３を受信すると（ステップＳ５）、各工事の撮影データ３０を作成し、各工事の写真データ５６と各工事の撮影データ３０とを合成して、各工事の工事写真データ５７を得る（ステップＳ６）。そして、この合成した工事写真データ５７を編集する（ステップＳ７）。最後に、編集した工事写真データ５７を例えば光ディスク等の電子記憶媒体に書込で本社・支店１へ送信する（ステップＳ８）。
【００６２】
図１２は、工事現場の担当者が行う携帯端末２４に対する操作、および携帯端末２４が行う処理動作を示す流れ図である。
【００６３】
現場装置２０からダウンロードされた各工事の撮影図面１１および工事写真チェックリスト４３を各ファイル２５、２６に取込む（ステップＱ１）。次に、撮影データ入力画面２９を作成して表示する（ステップＱ２）。この撮影データ入力画面２９で１つの撮影対象の工事が選択指定されると（ステップＱ３）、この撮影データ入力画面２９に実測値１３、確認者４３ｆを入力する（ステップＱ４）。この撮影データ入力画面２９で得られた撮影データ３０で工事写真チェックリスト４３を更新する（ステップＱ５）。
【００６４】
そして、この携帯端末２４の撮影部３３で撮影対象の工事１４を撮影する（ステップＱ６）。撮影した写真データ５６を写真データファイル３４に格納すると共に、撮影ファイル名４３ｈを工事写真チェックリスト４３に登録する（ステップＱ６）。
【００６５】
未撮影の工事が存在すれば（ステップＱ７）、Ｑ２へ戻り、撮影データ入力画面２９を作成して表示する。
【００６６】
未撮影の工事が存在しなければ（ステップＱ７）、この携帯端末２４を現場事務所に持ち帰り、現場装置２０に装着する。そして、写真データファイル３４に記憶されている各工事の写真データ５６、および工事写真チェックリストメモリ２６に格納されている更新済みの工事写真チェックリスト４３を現場装置２０へ送信する（ステップＱ８）。
【００６７】
このように構成された実施形態の工事写真管理システムにおいては、現場事務所の担当者は、本社・支店１から送信された標準工事の写真撮影リスト４を参考にして、現場装置２０内に工事写真チェックリスト４３を作成するとともに工事全体の設計図面から撮影対象の各工事の撮影図面１１を作成する。作成された工事写真チェックリスト４３および各工事の撮影図面１１はカメラ機能を有する携帯端末２４へ送信（ダウンロード）される。
【００６８】
現場の担当者は携帯端末２４を操作して、撮影データ入力画面２９を用いてこれから撮影しようとする工事を選択し工事の実測値１３を入力すると、工事写真チェックリスト４３および各工事の撮影図面１１に基づいて、該当工事の撮影データ３０が作成されてファインダーとしての表示器３１の片隅（右上）に表示される。
【００６９】
この状態で、担当者は撮影データ３０で指定された工事１４を撮影する。撮影された各工事の写真データ５６および撮影ファイル名４３ｈ（写真番号）と実測値１３が追加された補正後の工事写真チェックリスト４３が現場装置２０へ送信される。
【００７０】
このように、撮影対象の各工事の撮影図面１１と、撮影対象の各工事の工事名称、工事設計値を含む工事写真チェックリスト４３とは現場装置２０から携帯端末２４に送信されて記憶保持されている。したがって、操作者がこのカメラ機能を有する携帯端末２４を用いて撮影対象の工事１４を撮影する時に参照すべき撮影データ３０を簡単にかつ間違いなく作成できる。
【００７１】
現場装置２０においては、図４に示すように、各工事の撮影図面１１と携帯端末から受信した更新後の工事写真チェックリスト４３に基づいて撮影データ３０を作成して、受信した各工事の写真データ５６の一部に上書きされて各工事の工事写真データ５７が得られる。この場合、各写真データ５６と工事写真チェックリスト４３の各工事とは写真番号としての撮影ファイル名４３ｈでリンクされているので、各写真データ５６と撮影データ３０とは必ず対応していることになる。
【００７２】
したがって、工事写真データ５７の編集作業が自動実施され、操作者の操作負担を軽減できるとともに、編集作業ミスの発生を未然に防止できる。
【００７３】
また、最終的に得られる各工事写真データ５７を電子データ化でき、施主２へ提出する各工事写真データ５７の報告書５９ｂを電子データ化でき、施主２に対するサービスを向上できる。
【図面の簡単な説明】
【００７４】
【図１】本発明の最良の実施の形態に係わる携帯端末、工事撮影制御方法、工事撮影制御プログラムおよび工事写真管理方法が組込まれかつ適用される工事写真管理システムの全体構成を示すブロック図。
【図２】同実施形態の工事写真管理システムに組込まれた現場装置の概略構成を示すブロック図。
【図３】同現場装置の撮影図面ファイルに記憶された撮影図面を示す図。
【図４】同現場装置の工事写真データファイルに記憶された工事写真データを示す図。
【図５】同現場装置の補助記憶装置に記憶された工事写真チェックリストを示す図。
【図６】同現場装置の動作を示す流れ図。
【図７】同現場装置の表示器に表示された編集画面を示す図。
【図８】同実施形態の工事写真管理システムに組込まれた携帯端末に表示された撮影データ入力画面を示す図。
【図９】同携帯端末に記憶された工事写真チェックリストを示す図。
【図１０】同携帯端末に組込まれた撮影部の撮影動作を示す図。
【図１１】同携帯端末の写真データファイルに記憶され工事写真データを示す図。
【図１２】同携帯端末の動作を示す流れ図。
【図１３】従来の工事写真の作成手順を示す図。
【符号の説明】
【００７５】
１…本社・支店、２…施主、４…基準工事の写真撮影リスト、１１…撮影図面、１２…設計値、１３…実測値、１４…工事、２０…現場装置、２１…撮影図面作成部、２２…工事写真チェックリスト作成部、２３…工事写真合成編集部、２４…携帯端末、２５…撮影図面ファイル、２６…工事写真チェックリストメモリ、２７…実測データ入力部、２８，４６…操作部、２９…撮影データ入力画面、３０…撮影データ、３１，４７…表示器、３２…チェックリスト更新部、３３…撮影部、３４，４４…写真データファイル、４０…補助記憶装置、４１…設計図面ファイル、４２…撮影図面ファイル、４３…工事写真チェックリスト、４５…工事写真データファイル、４８…撮影図面送信部、４９…工事チェックリスト送受信部、５０…写真データ送受信部、５１…工事写真チェックリスト更新部、５２…工事写真データ送信部、５３…送受信Ｉ／Ｆ、５６…写真データ、５７…工事写真データ、５８…編集画面
【図１】
2006146682.tif 000003
【図２】
2006146682.tif 000004
【図３】
2006146682.tif 000005
【図４】
2006146682.tif 000006
【図５】
2006146682.tif 000007
【図６】
2006146682.tif 000008
【図７】
2006146682.tif 000009
【図８】
2006146682.tif 000010
【図９】
2006146682.tif 000011
【図１０】
2006146682.tif 000012
【図１１】
2006146682.tif 000013
【図１２】
2006146682.tif 000014
【図１３】
2006146682.tif 000015